(57)【特許請求の範囲】
【請求項１】
板状物品を上下に挟んで搬送する上側搬送ローラー及び下側搬送ローラーと、板状物品を上下に挟んで、板状物品の表面を擦り洗浄する上側洗浄ローラー及び下側洗浄ローラーとを備え、
複数組の前記上側搬送ローラー及び下側搬送ローラーと、複数組の前記上側洗浄ローラー及び下側洗浄ローラーとが搬送方向に並設された板状物品の洗浄装置であって、
複数の前記上側搬送ローラーの一方側端部の上下位置を一括で調整する第１上搬送用昇降機構と、
複数の前記上側搬送ローラーの他方側端部の上下位置を一括で調整する第２上搬送用昇降機構と、
複数の前記下側搬送ローラーの一方側端部の上下位置を一括で調整する第１下搬送用昇降機構と、
複数の前記下側搬送ローラーの他方側端部の上下位置を一括で調整する第２下搬送用昇降機構と、
複数の前記上側洗浄ローラーの一方側端部の上下位置を一括で調整する第１上洗浄用昇降機構と、
複数の前記上側洗浄ローラーの他方側端部の上下位置を一括で調整する第２上洗浄用昇降機構と、
複数の前記下側洗浄ローラーの一方側端部の上下位置を一括で調整する第１下洗浄用昇降機構と、
複数の前記下側洗浄ローラーの他方側端部の上下位置を一括で調整する第２下洗浄用昇降機構とを備え、
複数の前記上側搬送ローラーの一方側端部を支持する第１上搬送フレームと、
複数の前記上側洗浄ローラーの一方側端部を支持する第１上洗浄フレームとを備え、
前記第１上洗浄フレームは、前記第１上搬送フレームに対して上下方向に相対移動可能に設けられており、
複数の前記上側搬送ローラーの他方側端部を支持する第２上搬送フレームと、
複数の前記上側洗浄ローラーの他方側端部を支持する第２上洗浄フレームとを備え、
前記第２上洗浄フレームは、前記第２上搬送フレームに対して上下方向に相対移動可能に設けられており、
前記第１上搬送用昇降機構は、前記第１上搬送フレームの上下位置を調整するとともに、前記第１上洗浄用昇降機構は、前記第１上搬送フレームに対する前記第１上洗浄フレームの上下位置を調整し、
前記第２上搬送用昇降機構は、前記第２上搬送フレームの上下位置を調整するとともに、前記第２上洗浄用昇降機構は、前記第２上搬送フレームに対する前記第２上洗浄フレームの上下位置を調整することを特徴とする洗浄装置。
【請求項２】
板状物品を上下に挟んで搬送する上側搬送ローラー及び下側搬送ローラーと、板状物品を上下に挟んで、板状物品の表面を擦り洗浄する上側洗浄ローラー及び下側洗浄ローラーとを備え、
複数組の前記上側搬送ローラー及び下側搬送ローラーと、複数組の前記上側洗浄ローラー及び下側洗浄ローラーとが搬送方向に並設された板状物品の洗浄装置であって、
複数の前記上側搬送ローラーの一方側端部の上下位置を一括で調整する第１上搬送用昇降機構と、
複数の前記上側搬送ローラーの他方側端部の上下位置を一括で調整する第２上搬送用昇降機構と、
複数の前記下側搬送ローラーの一方側端部の上下位置を一括で調整する第１下搬送用昇降機構と、
複数の前記下側搬送ローラーの他方側端部の上下位置を一括で調整する第２下搬送用昇降機構と、
複数の前記上側洗浄ローラーの一方側端部の上下位置を一括で調整する第１上洗浄用昇降機構と、
複数の前記上側洗浄ローラーの他方側端部の上下位置を一括で調整する第２上洗浄用昇降機構と、
複数の前記下側洗浄ローラーの一方側端部の上下位置を一括で調整する第１下洗浄用昇降機構と、
複数の前記下側洗浄ローラーの他方側端部の上下位置を一括で調整する第２下洗浄用昇降機構とを備え、
複数の前記下側搬送ローラーの一方側端部を支持する第１下搬送フレームと、
複数の前記下側洗浄ローラーの一方側端部を支持する第１下洗浄フレームとを備え、
前記第１下洗浄フレームは、前記第１下搬送フレームに対して上下方向に相対移動可能に設けられており、
複数の前記下側搬送ローラーの他方側端部を支持する第２下搬送フレームと、
複数の前記下側洗浄ローラーの他方側端部を支持する第２下洗浄フレームとを備え、
前記第２下洗浄フレームは、前記第２下搬送フレームに対して上下方向に相対移動可能に設けられており、
前記第１下搬送用昇降機構は、前記第１下搬送フレームの上下位置を調整するとともに、前記第１下洗浄用昇降機構は、前記第１下搬送フレームに対する前記第１下洗浄フレームの上下位置を調整し、
前記第２下搬送用昇降機構は、前記第２下搬送フレームの上下位置を調整するとともに、前記第２下洗浄用昇降機構は、前記第２下搬送フレームに対する前記第２下洗浄フレームの上下位置を調整することを特徴とする洗浄装置。
【請求項３】
前記上側搬送ローラー及び前記下側搬送ローラーと、前記上側洗浄ローラー及び前記下側洗浄ローラーとが、搬送方向に交互に配置されるとともに、搬送方向における最も上流側の位置及び最も下流側の位置には、前記上側搬送ローラー及び前記下側搬送ローラーが配置され、
前記上側洗浄ローラー及び前記下側洗浄ローラーは、前記上側搬送ローラー及び前記下側搬送ローラーと逆方向に回転することを特徴とする請求項１又は請求項２に記載の洗浄装置。
【発明の詳細な説明】
【技術分野】
【０００１】
本発明は、板状物品の洗浄装置に関する。
【背景技術】
【０００２】
特許文献１に開示される板状物品の洗浄装置は、板状物品を上下に挟んで搬送する上下一対の搬送ローラーと、板状物品を上下に挟んで、板状物品の表面を擦り洗浄する上下一対の洗浄ローラーとを備えている。この洗浄装置においては、搬送ローラーによって板状物品を搬送しつつ、洗浄ローラーによって板状物品の表面を擦り洗浄することによって、板状物品が洗浄される。
【先行技術文献】
【特許文献】
【０００３】
【特許文献１】特開平５−２３６５１号公報
【発明の概要】
【発明が解決しようとする課題】
【０００４】
ところで、上記の洗浄装置においては、板状物品に対する各ローラーの接触圧を調整することや、板状物品を洗浄装置へ搬送する搬送装置との間で板状物品が搬送される高さを揃えること等を目的として、各ローラーの上下位置を調整する作業が行われる。その際、各ローラーの上下位置を個々に調整する作業は非常に煩雑であり、特に、上下一対の搬送ローラー及び上下一対の洗浄ローラーを共に複数、備える構成においては、調整すべきローラーの数が倍増するため、作業に要する労力は更に多大になる。
【０００５】
本発明は、こうした実情に鑑みてなされたものであり、その目的は、各ローラーの上下位置を容易に調整することのできる洗浄装置を提供することにある。
【課題を解決するための手段】
【０００６】
上記課題を解決する洗浄装置は、板状物品を上下に挟んで搬送する上側搬送ローラー及び下側搬送ローラーと、板状物品を上下に挟んで、板状物品の表面を擦り洗浄する上側洗浄ローラー及び下側洗浄ローラーとを備え、複数組の前記上側搬送ローラー及び下側搬送ローラーと、複数組の前記上側洗浄ローラー及び下側洗浄ローラーとが搬送方向に並設された板状物品の洗浄装置であって、複数の前記上側搬送ローラーの一方側端部の上下位置を一括で調整する第１上搬送用昇降機構と、複数の前記上側搬送ローラーの他方側端部の上下位置を一括で調整する第２上搬送用昇降機構と、複数の前記下側搬送ローラーの一方側端部の上下位置を一括で調整する第１下搬送用昇降機構と、複数の前記下側搬送ローラーの他方側端部の上下位置を一括で調整する第２下搬送用昇降機構と、複数の前記上側洗浄ローラーの一方側端部の上下位置を一括で調整する第１上洗浄用昇降機構と、複数の前記上側洗浄ローラーの他方側端部の上下位置を一括で調整する第２上洗浄用昇降機構と、複数の前記下側洗浄ローラーの一方側端部の上下位置を一括で調整する第１下洗浄用昇降機構と、複数の前記下側洗浄ローラーの他方側端部の上下位置を一括で調整する第２下洗浄用昇降機構とを備える。
【０００７】
上記構成によれば、第１上搬送用昇降機構及び第２上搬送用昇降機構によって、各上側搬送ローラーの一方側端部の上下位置及び各上側搬送ローラーの他方側端部の上下位置をそれぞれ一括で調整できる。第１下搬送用昇降機構及び第２下搬送用昇降機構、第１上洗浄用昇降機構及び第２上洗浄用昇降機構、並びに第１下洗浄用昇降機構及び第２下洗浄用昇降機構についても同様である。これにより、各ローラーの上下位置を調整する作業に要する工数が少なくなって、同作業を容易に行うことができる。
【０００８】
尚、上記洗浄装置は、複数の前記上側搬送ローラーの一方側端部を支持する第１上搬送フレームと、複数の前記上側洗浄ローラーの一方側端部を支持する第１上洗浄フレームとを備え、前記第１上洗浄フレームは、前記第１上搬送フレームに対して上下方向に相対移動可能に設けられており、複数の前記上側搬送ローラーの他方側端部を支持する第２上搬送フレームと、複数の前記上側洗浄ローラーの他方側端部を支持する第２上洗浄フレームとを備え、前記第２上洗浄フレームは、前記第２上搬送フレームに対して上下方向に相対移動可能に設けられており、前記第１上搬送用昇降機構は、前記第１上搬送フレームの上下位置を調整するとともに、前記第１上洗浄用昇降機構は、前記第１上搬送フレームに対する前記第１上洗浄フレームの上下位置を調整し、前記第２上搬送用昇降機構は、前記第２上搬送フレームの上下位置を調整するとともに、前記第２上洗浄用昇降機構は、前記第２上搬送フレームに対する前記第２上洗浄フレームの上下位置を調整することが好ましい。
【０００９】
また、上記洗浄装置は、複数の前記下側搬送ローラーの一方側端部を支持する第１下搬送フレームと、複数の前記下側洗浄ローラーの一方側端部を支持する第１下洗浄フレームとを備え、前記第１下洗浄フレームは、前記第１下搬送フレームに対して上下方向に相対移動可能に設けられており、複数の前記下側搬送ローラーの他方側端部を支持する第２下搬送フレームと、複数の前記下側洗浄ローラーの他方側端部を支持する第２下洗浄フレームとを備え、前記第２下洗浄フレームは、前記第２下搬送フレームに対して上下方向に相対移動可能に設けられており、前記第１下搬送用昇降機構は、前記第１下搬送フレームの上下位置を調整するとともに、前記第１下洗浄用昇降機構は、前記第１下搬送フレームに対する前記第１下洗浄フレームの上下位置を調整し、前記第２下搬送用昇降機構は、前記第２下搬送フレームの上下位置を調整するとともに、前記第２下洗浄用昇降機構は、前記第２下搬送フレームに対する前記第２下洗浄フレームの上下位置を調整することが好ましい。
【００１０】
これらの場合、上側搬送ローラー（又は下側搬送ローラー）の上下位置の調整時に、上側洗浄ローラー（又は下側洗浄ローラー）も上下に移動するため、上側洗浄ローラー（又は下側洗浄ローラー）の上下位置の調整時には、不足分を加える微調整又は過剰分を減らす微調整を行うのみでよい。したがって、上側洗浄ローラー（又は下側洗浄ローラー）の上下位置の調整に要する調整量を小さくすることができる。
【００１１】
さらに、上記洗浄装置は、前記上側搬送ローラー及び前記下側搬送ローラーと、前記上側洗浄ローラー及び前記下側洗浄ローラーとが、搬送方向に交互に配置されるとともに、搬送方向における最も上流側の位置及び最も下流側の位置には、前記上側搬送ローラー及び前記下側搬送ローラーが配置され、前記上側洗浄ローラー及び前記下側洗浄ローラーは、前記上側搬送ローラー及び前記下側搬送ローラーと逆方向に回転することが好ましい。
【００１２】
この場合は、上側洗浄ローラー及び下側洗浄ローラーが逆方向に回転することにより、板状物品の表面に対する上側洗浄ローラー及び下側洗浄ローラーによる擦り洗浄の効果を高めることができる。また、各ローラーを上記のように配置することにより、板状物品に対して、上側洗浄ローラー及び下側洗浄ローラーからの力のみが作用してしまい、板状物品を搬送することができなくなる、という状況が起こり難い。
【発明の効果】
【００１３】
本発明によれば、各ローラーの上下位置を容易に調整することができる。
【図面の簡単な説明】
【００１４】
【図１】洗浄装置の模式図。
【図２】洗浄装置の模式図。
【図３】（ａ）は図２の３ａ−３ａ線断面図、（ｂ）は図２の３ｂ−３ｂ線断面図。
【図４】上側搬送用駆動軸及び下側搬送用駆動軸に設けられる各ギヤの噛合部分の説明図。
【図５】洗浄装置の変形例を示す模式図。
【発明を実施するための形態】
【００１５】
以下、板状物品の洗浄に用いられる洗浄装置の一実施形態を説明する。
なお、洗浄対象とされる板状物品Ａは、特に限定されるものではなく、例えば、ガラスからなる板状物品であってもよいし、合成樹脂からなる板状物品であってもよい。
【００１６】
図１及び図２に示すように、洗浄装置は、間隔をあけて上下に配置される上側搬送ローラー１１ａ及び下側搬送ローラー１１ｂからなる搬送ローラー対１１と、間隔をあけて上下に配置される上側洗浄ローラー１２ａ及び下側洗浄ローラー１２ｂからなる洗浄ローラー対１２とを備えている。本実施形態においては、３組の搬送ローラー対１１と、２組の洗浄ローラー対１２とが搬送方向に沿って交互に配置されている。ここで、搬送方向における最も上流側の位置及び最も下流側の位置には、搬送ローラー対１１が配置されている。
【００１７】
図２に示すように、搬送ローラー対１１及び洗浄ローラー対１２を構成する各ローラーは、弾性を有する樹脂材料からなる円柱形状のローラー部１３と、ローラー部１３の両端面の中心部から突出する軸部１４とから構成されている。ローラー部１３を構成する樹脂材料としては、例えば、ポリビニルアルコール系ポリマー、アクリル酸系ポリマー、その他の付加重合体、アクリルアミド系ポリマー、ポリオキシエチレン系ポリマー、ポリエーテル系ポリマー、縮合系ポリマー、ポリビニルピロリドン、ポリスチレンスルホン酸、ウレタン樹脂、ポリウレタン樹脂が挙げられる。これらの樹脂材料のなかでも、吸湿性が高く洗浄液等の水分を保持しやすいという観点から、ポリビニルアルコール系ポリマーを用いることが好ましい。
【００１８】
なお、搬送ローラー対１１を構成する各ローラーのローラー部１３に用いられる樹脂材料と、洗浄ローラー対１２を構成する各ローラーのローラー部１３に用いられる樹脂材料とは、同じ樹脂材料であってもよいし、異なる樹脂材料であってもよい。本実施形態においては、すべてのローラーのローラー部１３に同じ樹脂材料を用いている。
【００１９】
また、図１に示すように、搬送ローラー対１１は、板状物品Ａに対して搬送方向へ押し出す力を与える方向（順方向）に回転するように、その回転方向が設定されている。洗浄ローラー対１２は、板状物品Ａに対して、搬送方向と反対方向へ押し出す力を与える方向（逆方向）に回転するように、その回転方向が設定されている。洗浄ローラー対１２を逆方向に回転させることによって、洗浄装置内を搬送される板状物品Ａの表面に対して洗浄ローラー対１２により行われる擦り洗浄の効果を高めることができる。
【００２０】
また、本実施形態においては、搬送ローラー対１１における上下のローラーの間隔（外周面間の距離）を、洗浄ローラー対１２における上下のローラーの間隔よりも短く設定している。これにより、板状物品Ａに対する搬送ローラー対１１の接触圧が、板状物品Ａに対する洗浄ローラー対１２の接触圧よりも大きくなり、洗浄ローラー対１２により板状物品Ａに与えられる搬送方向と反対方向へ押し出す力に抗して、板状物品Ａを下流側へ搬送することが可能になる。
【００２１】
次に、図２及び図３を参照して、搬送ローラー対１１及び洗浄ローラー対１２の各ローラーを支持する支持構造、及び各ローラーを駆動する駆動機構について説明する。以下では、板状物品Ａの搬送方向に向かって見た場合に、右手側に位置する一方側を右側（図２における下側）、左手側に位置する他方側を左側（図２における上側）として説明する。
【００２２】
図２に示すように、各上側搬送ローラー１１ａの右側の軸部１４は、右上搬送フレーム１５ＲＵに軸受１６を介して回転可能に支持されている。右上搬送フレーム１５ＲＵは、搬送方向に延びる一つの部材からなり、右上搬送フレーム１５ＲＵには、右上搬送フレーム１５ＲＵの上下位置を調整する右上搬送用昇降機構１７ＲＵが接続されている。各上側搬送ローラー１１ａの右側の軸部１４の先端は、右上搬送フレーム１５ＲＵの軸受１６よりも右側（外側）に突出するとともに、その先端には、傘歯車１８が取り付けられている。
【００２３】
また、右上搬送フレーム１５ＲＵは、右側（外側）に突出する複数の突出部分を有し、その突出部分には、搬送方向に延びる上側搬送用駆動軸１９Ｕが軸受１６を介して回転可能に支持されている。上側搬送用駆動軸１９Ｕの中間部分には、各上側搬送ローラー１１ａの軸部１４に取り付けられた各傘歯車１８に噛合する三つの傘歯車２０が取り付けられている。また、上側搬送用駆動軸１９Ｕの搬送方向下流側の端部には、従動ギヤ２１が取り付けられている。
【００２４】
各上側搬送ローラー１１ａの左側の軸部１４は、左上搬送フレーム１５ＬＵに軸受１６を介して回転可能に支持されている。左上搬送フレーム１５ＬＵは、搬送方向に延びる一つの部材からなり、左上搬送フレーム１５ＬＵには、左上搬送フレーム１５ＬＵの上下位置を調整する左上搬送用昇降機構１７ＬＵが接続されている。
【００２５】
図３（ａ）に示すように、各下側搬送ローラー１１ｂの右側の軸部１４は、右下搬送フレーム１５ＲＤに軸受１６を介して回転可能に支持されている。右下搬送フレーム１５ＲＤは、搬送方向に延びる一つの部材からなり、右下搬送フレーム１５ＲＤには、右下搬送フレーム１５ＲＤの上下位置を調整する右下搬送用昇降機構１７ＲＤ（図示略）が接続されている。各下側搬送ローラー１１ｂの右側の軸部１４の先端は、右下搬送フレーム１５ＲＤの軸受１６よりも右側（外側）に突出するとともに、その先端には、傘歯車１８が取り付けられている。
【００２６】
図示は省略するが、右下搬送フレーム１５ＲＤの具体的構成は、右上搬送フレーム１５ＲＵと同様であり、右下搬送フレーム１５ＲＤには、上側搬送用駆動軸１９Ｕの代わりに下側搬送用駆動軸１９Ｄが支持されている。上側搬送用駆動軸１９Ｕと同様に、下側搬送用駆動軸１９Ｄの中間部分には、各下側搬送ローラー１１ｂの軸部１４に取り付けられた各傘歯車１８に噛合する三つの傘歯車２０が取り付けられている。また、下側搬送用駆動軸１９Ｄの搬送方向下流側の端部には、従動ギヤ２１が取り付けられている。図４に示すように、上側搬送用駆動軸１９Ｕの傘歯車２０と、下側搬送用駆動軸１９Ｄの傘歯車２０とは、互いに反対方向を向くように取り付けられている。また、図３（ｂ）に示すように、右下搬送フレーム１５ＲＤにも、下側洗浄ローラー１２ｂの軸部１４を挿通させるための挿通部２４が設けられている。
【００２７】
図３（ａ）に示すように、各下側搬送ローラー１１ｂの左側の軸部１４は、左下搬送フレーム１５ＬＤに軸受１６を介して回転可能に支持されている。左下搬送フレーム１５ＬＤは、搬送方向に延びる一つの部材からなり、左下搬送フレーム１５ＬＤには、左下搬送フレーム１５ＬＤの上下位置を調整する左下搬送用昇降機構１７ＬＤ（図示略）が接続されている。
【００２８】
図２に示すように、各上側洗浄ローラー１２ａの右側の軸部１４は、右上洗浄フレーム２２ＲＵに軸受１６を介して回転可能に支持されている。右上洗浄フレーム２２ＲＵは、搬送方向に延びる一つの部材からなり、右上洗浄フレーム２２ＲＵには、右上洗浄フレーム２２ＲＵを上下方向に移動させる右上洗浄用昇降機構２３ＲＵが接続されている。右上洗浄フレーム２２ＲＵは、右上搬送フレーム１５ＲＵよりも左側（内側）に配置されている。右上洗浄フレーム２２ＲＵには、各上側搬送ローラー１１ａの右側の軸部１４が挿通される挿通部２４が設けられている。この軸部１４と挿通部２４の内周面との間には、軸部１４と右上洗浄フレーム２２ＲＵとの上下方向の相対移動を許容する大きさの隙間が設けられている。
【００２９】
各上側洗浄ローラー１２ａの左側の軸部１４は、左上洗浄フレーム２２ＬＵに軸受１６を介して回転可能に支持されている。左上洗浄フレーム２２ＬＵは、搬送方向に延びる一つの部材からなり、左上洗浄フレーム２２ＬＵには、左上洗浄フレーム２２ＬＵの上下位置を調整する左上洗浄用昇降機構２３ＬＵが接続されている。各上側洗浄ローラー１２ａの左側の軸部１４の先端は、左上洗浄フレーム２２ＬＵの軸受１６よりも左側（外側）に突出するとともに、その先端には、傘歯車１８が取り付けられている。
【００３０】
左上洗浄フレーム２２ＬＵは、左上搬送フレーム１５ＬＵよりも左側（外側）に配置されている。そして、左上搬送フレーム１５ＬＵには、各上側洗浄ローラー１２ａの左側の軸部１４が挿通される挿通部２４が設けられている。この軸部１４と挿通部２４の内周面との間には、軸部１４と左上搬送フレーム１５ＬＵとの上下方向の相対移動を許容する大きさの隙間が設けられている。
【００３１】
また、左上洗浄フレーム２２ＬＵは、左側（外側）に突出する複数の突出部分を有し、その突出部部分には、搬送方向に延びる上側洗浄用駆動軸２５Ｕが軸受１６を介して回転可能に支持されている。上側洗浄用駆動軸２５Ｕの中間部分には、各上側洗浄ローラー１２ａの軸部１４に取り付けられた各傘歯車１８に噛合する二つの傘歯車２０が取り付けられている。また、上側洗浄用駆動軸２５Ｕの搬送方向下流側の端部には、従動ギヤ２１が取り付けられている。
【００３２】
図３（ｂ）に示すように、各下側洗浄ローラー１２ｂの右側の軸部１４は、右下洗浄フレーム２２ＲＤに軸受１６を介して回転可能に支持されている。右下洗浄フレーム２２ＲＤは、搬送方向に延びる一つの部材からなり、右下洗浄フレーム２２ＲＤには、右下洗浄フレーム２２ＲＤの上下位置を調整する右下洗浄用昇降機構２３ＲＤ（図示略）が接続されている。また、図３（ａ）に示すように、右下洗浄フレーム２２ＲＤにも、下側搬送ローラー１１ｂの軸部１４を挿通させるための挿通部２４が設けられている。
【００３３】
各下側洗浄ローラー１２ｂの左側の軸部１４は、左下洗浄フレーム２２ＬＤに軸受１６を介して回転可能に支持されている。左下洗浄フレーム２２ＬＤは、搬送方向に延びる一つの部材からなり、左下洗浄フレーム２２ＬＤには、左下洗浄フレーム２２ＬＤの上下位置を調整する左下洗浄用昇降機構２３ＬＤ（図示略）が接続されている。各下側洗浄ローラー１２ｂの左側の軸部１４の先端は、左下洗浄フレーム２２ＬＤの軸受１６よりも左側（外側）に突出するとともに、その先端には、傘歯車１８が取り付けられている。
【００３４】
図示は省略するが、左下洗浄フレーム２２ＬＤの具体的構成は、左上洗浄フレーム２２ＬＵと同様であり、左下洗浄フレーム２２ＬＤには、上側洗浄用駆動軸２５Ｕの代わりに下側洗浄用駆動軸２５Ｄが支持されている。上側洗浄用駆動軸２５Ｕと同様に、下側洗浄用駆動軸２５Ｄの中間部分には、各下側洗浄ローラー１２ｂの軸部１４に取り付けられた各傘歯車１８に噛合する二つの傘歯車２０が取り付けられている。また、下側洗浄用駆動軸２５Ｄの搬送方向下流側の端部には、従動ギヤ２１が取り付けられている。なお、上側洗浄用駆動軸２５Ｕの傘歯車２０と、下側洗浄用駆動軸２５Ｄの傘歯車２０とは、互いに反対方向を向くように取り付けられている。
【００３５】
右上搬送用昇降機構１７ＲＵ、左上搬送用昇降機構１７ＬＵ、右下搬送用昇降機構１７ＲＤ、左下搬送用昇降機構１７ＬＤ、右上洗浄用昇降機構２３ＲＵ、左上洗浄用昇降機構２３ＬＵ、右下洗浄用昇降機構２３ＲＤ、及び左下洗浄用昇降機構２３ＬＤの各昇降機構としては、例えば、機械式ジャッキや流体式ジャッキ等のジャッキ機構を用いることができる。
【００３６】
図２及び図４に示すように、上側搬送用駆動軸１９Ｕの従動ギヤ２１及び下側搬送用駆動軸１９Ｄの従動ギヤ２１は共に、搬送用モータ２６ａの駆動によって回転する駆動ギヤ２７に噛合されている。同様に、上側洗浄用駆動軸２５Ｕの従動ギヤ２１及び下側洗浄用駆動軸２５Ｄの従動ギヤ２１は共に、洗浄用モータ２６ｂの駆動によって回転する駆動ギヤ２７に噛合されている（図示略）。
【００３７】
また、図１に示すように、洗浄装置は、搬送途中にある板状物品Ａや、洗浄ローラー対１２に向けて洗浄液を噴射するノズル２８を備えている。
次に、本実施形態の作用について説明する。
【００３８】
本実施形態の洗浄装置は、その稼動に先立って、搬送ローラー対１１及び洗浄ローラー対１２を構成する各ローラーの上下位置を調整する作業が行われる。この作業は、例えば、洗浄装置の上流側及び下流側に配置される搬送機構Ｂ（図１参照）と洗浄装置との間で板状物品Ａが搬送される高さを揃えること、各ローラーを水平に位置させること、板状物品Ａに対する搬送ローラー対１１及び洗浄ローラー対１２の各接触圧を調整すること等を目的として行われる。本実施形態においては、上記作業に際して、８箇所を調整することによって、３組の搬送ローラー対１１及び２組の洗浄ローラー対１２を構成する合計１０個のローラーの上下位置を調整することができる。
【００３９】
即ち、各上側搬送ローラー１１ａの右側の軸部１４がすべて右上搬送フレーム１５ＲＵに軸支されるとともに、同左側の軸部１４がすべて左上搬送フレーム１５ＬＵに軸支されている。そのため、右上搬送用昇降機構１７ＲＵにより右上搬送フレーム１５ＲＵの上下位置を調整することによって、各上側搬送ローラー１１ａの右側の端部の上下位置を一括で調整できる。そして、左上搬送用昇降機構１７ＬＵにより左上搬送フレーム１５ＬＵの上下位置を調整することによって、各上側搬送ローラー１１ａの左側の端部の上下位置を一括で調整できる。
【００４０】
同様に、各下側搬送ローラー１１ｂについても、右下搬送用昇降機構１７ＲＤにより右下搬送フレーム１５ＲＤの上下位置を調整することによって、各下側搬送ローラー１１ｂの右側の端部の上下位置を一括で調整できる。そして、左下搬送用昇降機構１７ＬＤにより左下搬送フレーム１５ＬＤの上下位置を調整することによって、各下側搬送ローラー１１ｂの左側の端部の上下位置を一括で調整できる。
【００４１】
同様に、各上側洗浄ローラー１２ａについても、右上洗浄用昇降機構２３ＲＵにより右上洗浄フレーム２２ＲＵの上下位置を調整することによって、各上側洗浄ローラー１２ａの右側の端部の上下位置を一括で調整できる。そして、左上洗浄用昇降機構２３ＬＵにより左上洗浄フレーム２２ＬＵの上下位置を調整することによって、各上側洗浄ローラー１２ａの左側の端部の上下位置を一括で調整できる。
【００４２】
同様に、各下側洗浄ローラー１２ｂについても、右下洗浄用昇降機構２３ＲＤにより右下洗浄フレーム２２ＲＤの上下位置を調整することによって、各下側洗浄ローラー１２ｂの右側の端部の上下位置を一括で調整できる。そして、左下洗浄用昇降機構２３ＬＤにより左下洗浄フレーム２２ＬＤの上下位置を調整することによって、各下側洗浄ローラー１２ｂの左側の端部の上下位置を一括で調整できる。なお、上下位置の調整に伴って、駆動ギヤ２７と従動ギヤ２１との位置関係が僅かに変化することになるが、駆動ギヤ２７と従動ギヤ２１との噛合部分には、上記変化を許容するバックラッシュが予め設定されている。
【００４３】
また、洗浄処理を行う場合には、まず、搬送用モータ２６ａ及び洗浄用モータ２６ｂが駆動される。これにより、搬送用モータ２６ａの駆動力が、駆動ギヤ２７、各従動ギヤ２１、上側搬送用駆動軸１９Ｕ及び下側搬送用駆動軸１９Ｄ、傘歯車１８，２０を介して各上側搬送ローラー１１ａ及び各下側搬送ローラー１１ｂへと伝達されて、搬送ローラー対１１が順方向に回転する。また、洗浄用モータ２６ｂの駆動力が、駆動ギヤ２７、各従動ギヤ２１、上側洗浄用駆動軸２５Ｕ及び下側洗浄用駆動軸２５Ｄ、傘歯車１８，２０を介して各上側洗浄ローラー１２ａ及び各下側洗浄ローラー１２ｂへと伝達されて、洗浄ローラー対１２が逆方向に回転する。
【００４４】
搬送ローラー対１１及び洗浄ローラー対１２が回転している状態において、上流側の搬送機構Ｂから洗浄装置に板状物品Ａが供給されると、順方向に回転する搬送ローラー対１１に挟まれることによって、板状物品Ａは洗浄装置内を下流側へと搬送される。搬送途中において、逆方向に回転する洗浄ローラー対１２の間を板状物品Ａが洗浄ローラー対１２に接触しながら通過することによって、板状物品Ａの表面が洗浄ローラー対１２により擦り洗浄される。このとき、必要に応じて、板状物品Ａ及び洗浄ローラー対１２に向かってノズル２８から洗浄液が供給される。そして、洗浄装置から排出された洗浄後の板状物品Ａは、下流側の搬送機構Ｂによって所定の搬送先へ搬送される。
【００４５】
次に、本実施形態の効果について記載する。
（１）本実施形態の洗浄装置は、板状物品Ａを上下に挟んで搬送する上側搬送ローラー１１ａ及び下側搬送ローラー１１ｂと、板状物品Ａを上下に挟んで、板状物品Ａの表面を擦り洗浄する上側洗浄ローラー１２ａ及び下側洗浄ローラー１２ｂとを備え、複数組の上側搬送ローラー１１ａ及び下側搬送ローラー１１ｂと、複数組の上側洗浄ローラー１２ａ及び下側洗浄ローラー１２ｂとが搬送方向に並設されている。
【００４６】
また、複数の上側搬送ローラー１１ａの右側端部の上下位置を一括で調整する右上搬送用昇降機構１７ＲＵと、複数の上側搬送ローラー１１ａの左側端部の上下位置を一括で調整する左上搬送用昇降機構１７ＬＵと、複数の下側搬送ローラー１１ｂの右側端部の上下位置を一括で調整する右下搬送用昇降機構１７ＲＤと、複数の下側搬送ローラー１１ｂの左側端部の上下位置を一括で調整する左下搬送用昇降機構１７ＬＤとを備えている。
【００４７】
また、複数の上側洗浄ローラー１２ａの右側端部の上下位置を一括で調整する右上洗浄用昇降機構２３ＲＵと、複数の上側洗浄ローラー１２ａの左側端部の上下位置を一括で調整する左上洗浄用昇降機構２３ＬＵと、複数の下側洗浄ローラー１２ｂの右側端部の上下位置を一括で調整する右下洗浄用昇降機構２３ＲＤと、複数の下側洗浄ローラー１２ｂの左側端部の上下位置を一括で調整する左下洗浄用昇降機構２３ＬＤとを備えている。
【００４８】
上記構成によれば、各上側搬送ローラー１１ａの右側の端部、同左側の端部、各下側搬送ローラー１１ｂの右側の端部、同左側の端部、各上側洗浄ローラー１２ａの右側の端部、同左側の端部、各下側洗浄ローラー１２ｂの右側の端部、同左側の端部といったグループ単位で各ローラーの両端部の上下位置を調整することができる。これにより、各ローラーの上下位置を調整する作業に要する工数が少なくなって、同作業を容易に行うことができる。
【００４９】
（２）複数の上側搬送ローラー１１ａの右側端部を支持する右上搬送フレーム１５ＲＵと、複数の上側搬送ローラー１１ａの左側端部を支持する左上搬送フレーム１５ＬＵとを備え、右上搬送用昇降機構１７ＲＵは、右上搬送フレーム１５ＲＵの上下位置を調整するものであり、右上搬送用昇降機構１７ＲＵは、左上搬送フレーム１５ＬＵの上下位置を調整するものである。
【００５０】
上記構成によれば、複数の上側搬送ローラー１１ａの右側端部及び左側端部の上下位置をそれぞれ一括で調整可能な構成を容易に実現することができる。他のローラーについても、同種のローラーの同じ側の端部を支持するフレームと、そのフレームの上下位置を調整する昇降機構とを採用することによって同様の効果が得られている。
【００５１】
（３）上側洗浄ローラー１２ａ及び下側洗浄ローラー１２ｂは、上側搬送ローラー１１ａ及び下側搬送ローラー１１ｂと逆方向に回転する。
上記構成によれば、板状物品Ａの表面に対する洗浄ローラー対１２による擦り洗浄の効果を高めることができる。
【００５２】
（４）上側搬送ローラー１１ａ及び下側搬送ローラー１１ｂにおける板状物品Ａに対する接触圧は、上側洗浄ローラー１２ａ及び下側洗浄ローラー１２ｂにおける板状物品Ａに対する接触圧よりも大きい。
【００５３】
上記構成によれば、上側洗浄ローラー１２ａ及び下側洗浄ローラー１２ｂにより板状物品Ａに与えられる搬送方向と反対方向へ押し出す力に抗して、板状物品Ａを下流側へ搬送することができる。
【００５４】
（５）上側搬送ローラー１１ａ及び下側搬送ローラー１１ｂと上側洗浄ローラー１２ａ及び下側洗浄ローラー１２ｂとは、搬送方向に交互に配置されるとともに、搬送方向における最も上流側の位置及び最も下流側の位置には、上側搬送ローラー１１ａ及び下側搬送ローラー１１ｂが配置されている。
【００５５】
上記構成によれば、搬送方向において、板状物品Ａに対して、上側洗浄ローラー１２ａ及び下側洗浄ローラー１２ｂからの力のみが作用してしまい、板状物品Ａを搬送方向に搬送することができなくなる、という状況が起こり難い。
【００５６】
なお、本実施形態は、次のように変更して具体化することも可能である。
搬送ローラー対１１及び洗浄ローラー対１２の各ローラーを支持する支持構造は、上記実施形態の構成に限定されるものではない。例えば、図５に示す変形例の構成としてもよい。
【００５７】
図５に示す変形例では、右上搬送フレーム１５ＲＵに対して右上洗浄フレーム２２ＲＵが上下方向に相対移動可能に取り付けられており、右上洗浄用昇降機構２３ＲＵは、右上搬送フレーム１５ＲＵに対する右上洗浄フレーム２２ＲＵの上下位置を調整するための構成として設けられている。同様に、左上搬送フレーム１５ＬＵに対して左上洗浄フレーム２２ＬＵが上下方向に相対移動可能に取り付けられており、左上洗浄用昇降機構２３ＬＵは、左上搬送フレーム１５ＬＵに対する左上洗浄フレーム２２ＬＵの上下位置を調整するための構成として設けられている。
【００５８】
上記構成とした場合、右上洗浄フレーム２２ＲＵ及び左上洗浄フレーム２２ＬＵに支持される各上側洗浄ローラー１２ａの上下位置の調整に要する調整量を小さくすることができる。即ち、右上搬送用昇降機構１７ＲＵにより右上搬送フレーム１５ＲＵの上下位置を調整して、各上側搬送ローラー１１ａの右側の端部の上下位置を調整する際に、右上搬送フレーム１５ＲＵと一体に右上洗浄フレーム２２ＲＵも上下に移動するため、右上洗浄フレーム２２ＲＵに支持される各上側洗浄ローラー１２ａの右側の端部も上下にも移動する。そのため、右上洗浄用昇降機構２３ＲＵにより右上洗浄フレーム２２ＲＵの上下位置を調整して、各上側洗浄ローラー１２ａの右側の端部の調整する際には、右上搬送用昇降機構１７ＲＵによる調整時に移動した位置から、不足分を加える微調整又は過剰分を減らす微調整を行うのみでよい。また、左上搬送用昇降機構１７ＬＵ及び左上洗浄用昇降機構２３ＬＵによる調整時においても、同様の効果が得られる。
【００５９】
なお、下側のローラーを支持する各フレームについても同様に構成してもよい。また、例えば、上側のローラーを支持する各フレームについては図５に示す変形例の支持構造を採用し、下側のローラーを支持する各フレームについては上記実施形態の支持構造を採用する等、異なる支持構造を組み合わせて採用してもよい。
【００６０】
搬送ローラー対１１及び洗浄ローラー対１２の各ローラーを駆動する駆動機構は、上記実施形態の構成に限定されるものではない。例えば、図５に示す変形例の構成としてもよい。
【００６１】
図５に示す変形例では、各上側搬送ローラー１１ａの右側の軸部１４の先端に、傘歯車１８に代えて従動ギヤ１８ａが取り付けられている。そして、これら従動ギヤ１８ａと、搬送用モータ２６ａの駆動によって回転する駆動ギヤ２７とに対して、エンドレスベルトやエンドレスチェーン等の無端状部材２９が巻き掛けられている。同様に、各上側洗浄ローラー１２ａの左側の軸部１４の先端に、傘歯車１８に代えて従動ギヤ１８ａが取り付けられている。これら従動ギヤ１８ａと、洗浄用モータ２６ｂの駆動によって回転する駆動ギヤ２７とに対して、エンドレスベルトやエンドレスチェーン等の無端状部材２９が巻き掛けられている。
【００６２】
このように構成した場合にも、一つのモータによって複数のローラーを駆動することができる。また、下側のローラーを駆動する駆動機構についても同様に構成してもよい。なお、図５に示す変形例の駆動機構を採用する場合には、上側のローラーを駆動するためのモータと、下側のローラーを駆動するためのモータとを別々に設ける必要がある。
【００６３】
また、駆動機構に関して、上記実施形態では、一つの搬送用モータ２６ａの駆動力を、各上側搬送ローラー１１ａ及び各下側搬送ローラー１１ｂに伝達させていたが、複数の搬送用モータ２６ａを設けて、各上側搬送ローラー１１ａや各下側搬送ローラー１１ｂ等の特定のグループ毎に、又は個々のローラー毎に別々の搬送用モータ２６ａからの駆動力を伝達させる構成としてもよい。各上側洗浄ローラー１２ａ及び各下側洗浄ローラー１２ｂについても同様である。
【００６４】
なお、搬送ローラー対１１を構成するローラーや洗浄ローラー対１２を構成するローラーといった同種のローラーについて、上側に位置する各ローラーに駆動力を伝達するモータと、下側に位置する各ローラーに駆動力を伝達するモータとを別々に設ける場合には、図５の変形例に示すように、モータを、当該モータの駆動力が伝達されるローラーを支持するフレームに固定することが好ましい。例えば、図５の変形例においては、各上側搬送ローラー１１ａに駆動力を伝達する搬送用モータ２６ａを、各上側搬送ローラー１１ａの右側の軸部１４を支持する右上搬送フレーム１５ＲＵに固定している。このように構成した場合には、特定のフレームの上下位置を調整した際に、そのフレームと一体にモータも上下に移動するため、モータの駆動によって回転する駆動ギヤと、駆動機構における駆動ギヤと噛合する構成との位置関係が変化しない。そのため、上記実施形態のように、駆動ギヤの噛合部分に対して、上下位置の調整に伴う上記の位置関係の変化を許容するためのバックラッシュを設ける必要が無い。
【００６５】
搬送方向における搬送ローラー対１１と洗浄ローラー対１２との配置構成については、板状物品Ａを搬送可能な構成の範囲において、適宜変更してもよい。板状物品Ａを搬送可能な構成としては、例えば、洗浄装置内の搬送方向における如何なる位置においても常に一つ以上の搬送ローラー対１１が板状物品Ａに接触する構成が挙げられる。
【００６６】
また、板状物品Ａを搬送可能な構成であれば、上側搬送ローラー１１ａ及び下側搬送ローラー１１ｂにおける板状物品Ａに対する接触圧を、上側洗浄ローラー１２ａ及び下側洗浄ローラー１２ｂにおける板状物品Ａに対する接触圧と同じ又は小さくしてもよい。
【００６７】
上記実施形態では、洗浄ローラー対１２を搬送ローラー対１１と逆方向に回転させていたが、搬送ローラー対１１と同方向に回転させてもよい。
上記実施形態の洗浄装置について、左右を反転させた構成としてもよい。
【００６８】
上記した実施形態並びに各変形例は適宜組み合わせてもよい。
【符号の説明】
【００６９】
Ａ…板状物品、Ｂ…搬送機構、１１…搬送ローラー対、１１ａ…上側搬送ローラー、１１ｂ…下側搬送ローラー、１２…洗浄ローラー対、１２ａ…上側洗浄ローラー、１２ｂ…下側洗浄ローラー、１５ＲＵ…右上搬送フレーム（第１上搬送フレーム）、１５ＬＵ…左上搬送フレーム（第２上搬送フレーム）、１５ＲＤ…右下搬送フレーム（第１下搬送フレーム）、１５ＬＤ…左下搬送フレーム（第２下搬送フレーム）、１７ＲＵ…右上搬送用昇降機構（第１上搬送用昇降機構）、１７ＬＵ…左上搬送用昇降機構（第２上搬送用昇降機構）、１７ＲＤ…右下搬送用昇降機構（第１下搬送用昇降機構）、１７ＬＤ…左下搬送用昇降機構（第２下搬送用昇降機構）、２２ＲＵ…右上洗浄フレーム（第１上洗浄フレーム）、２２ＬＵ…左上洗浄フレーム（第２上洗浄フレーム）、２２ＲＤ…右下洗浄フレーム（第１下洗浄フレーム）、２２ＬＤ…左下洗浄フレーム（第２下洗浄フレーム）、２３ＲＵ…右上洗浄用昇降機構（第１上洗浄用昇降機構）、２３ＬＵ…左上洗浄用昇降機構（第２上洗浄用昇降機構）、２３ＲＤ…右下洗浄用昇降機構（第１下洗浄用昇降機構）、２３ＬＤ…左下洗浄用昇降機構（第２下洗浄用昇降機構）。
【図１】
0006641979.tif 000002
【図２】
0006641979.tif 000003
【図３】
0006641979.tif 000004
【図４】
0006641979.tif 000005
【図５】
0006641979.tif 000006